(57)【要約】【課題】硬度が低く軟らかい人工乳首を有しても、液体が人工乳首から出にくくなったりせず、また、液体が哺乳器から漏れ出すことがない哺乳器を提供すること。【解決手段】容器１３０と、係合凹部１１６を有する、硬度５度乃至３０度の弾性部材よりなる人工乳首１１０と前記係合凹部と係合するための係合凸部１２２ａを含むギャップ開口１２２を有するキャップ部１２０と、を有し、前記人工乳首には、少なくとも、前記容器本体内の容器雰囲気Ｂをキャップ雰囲気Ｃと通気させ等するための第１の通気調節部１１７と、少なくとも、キャップ雰囲気を外部に対して通気させ等するための第２の通気調節部１１８と、前記キャップ雰囲気を哺乳器の外部雰囲気と通気するための通気確保部１１９と、が備えられ、前記第２の通気調節部は、前記キャップ部に対し接触等する構成と成り、前記通気確保部は、前記係合凹部に設けられたリブ１１６ａで構成される哺乳器１００。【選択図】　図３
2004129940.tif 000002
【特許請求の範囲】
【請求項１】
液体を収容する容器本体と、
前記容器本体に液体を注入するための容器開口部と、を有する容器と、
乳幼児の口腔内に挿入される乳首本体と、
乳首本体の下側に配置され、前記容器開口部と略同等の外周を有するフランジ部と、
前記容器開口部側に対応して配置され、
前記容器に固定するためのキャップ部の端部を収容し係合するための係合凹部と、を有し、
硬度５度乃至３０度の弾性部材よりなる人工乳首と、
前記人工乳首を挿通可能なキャップ開口と、
前記キャップ開口の端部側に設けられ、前記人工乳首の係合凹部と係合するための係合凸部と、を有するキャップ部からなる哺乳器であって、
前記容器本体内の雰囲気は、少なくとも、前記容器開口部に対して配置される前記人工乳首によって覆われ、
前記人工乳首には、少なくとも、前記容器本体内の容器雰囲気を前記人工乳首と前記キャップ部とで形成されるキャップ雰囲気と通気させ又は通気させないための第１の通気調節部と、
少なくとも、前記第１の通気調節部で前記キャップ雰囲気に導入された容器雰囲気を外部に対して通気させ又は通気させないための第２の通気調節部と、
前記第２の通気調節部で外部に対して連通させられた前記キャップ雰囲気を哺乳器の外部雰囲気と通気するための通気確保部と、が備えられ、
前記第２の通気調節部は、前記キャップ部に対し接触又は離間する構成と成り、
前記通気確保部は、前記係合凹部に設けられたリブで構成されることを特徴とする哺乳器。
【請求項２】
前記第２の通気調節部は、前記容器雰囲気内が負圧に成ると前記キャップ部に対する接触状態から離間状態に移動する構成となっていることを特徴とする請求項１に記載の哺乳器。
【請求項３】
前記人工乳首の前記係合凹部に設けられた前記リブは、前記キャップ部の前記キャップ開口及び／又は前記係合凸部の底面部、側面部及び上面部のそれぞれに対応して形成され、
前記上面部及び前記側面部に対応する前記リブは、相互に連接し、略Ｌ字状のＬ字リブを構成し、
このＬ字リブが略平行に複数配置され、
前記底面部に対応する前記リブは、底面リブを構成することを特徴とする請求項１又は請求項２に記載の哺乳器。
【請求項４】
前記第１の通気調節部が切り欠き部により構成され、
この切り欠き部と前記底面リブとは、前記第２の通気調節部を介して連続するように配置され、
前記底面リブと前記切り欠き部のそれぞれ連続している部分の幅が略同等に形成され、
前記略平行に配置される前記複数のＬ字リブは、これらＬ字リブの間隔が前記底面リブの幅より長く形成されていることを特徴とする請求項３に記載の哺乳器。
【請求項５】
前記キャップ部の前記第２の通気調節部より外側に前記人工乳首のフランジ部と固定するための固定用凸部が形成され、前記フランジ部には前記固定用凸部と係合するための固定用凹部が形成されていることを特徴とする請求項１乃至請求項４のいずれかに記載の哺乳器。
【請求項６】
前記固定用凸部と前記固定用凹部とは、前記容器開口部を形成する天面部に対応して形成されることを特徴とする請求項５に記載の哺乳器。
【発明の詳細な説明】
【０００１】
【発明の属する技術分野】
本発明は、例えば乳幼児等が授乳等に際して用いる哺乳器に関するものである。
【０００２】
【従来の技術】
従来より、人工乳首がキャップで取り付けられた哺乳瓶にミルクを収容し、乳幼児等がミルク等を飲むために用いられている。
このように哺乳器内のミルクを乳幼児等が飲み、ミルクの内容量が減少すると哺乳瓶内が外気に比べ負圧となり、ミルクが人工乳首が出難くなる。
このため、哺乳瓶の人工乳首のフランジに通気孔を設け、この通気孔が負圧の際に開状態となり、負圧でないときは閉状態に変化するようにし、ミルクが出にくくなるのを防止している哺乳器がある（例えば、特許文献１参照）。
【０００３】
また、負圧をとならないように外気を供給するための空気溝を設け常に外気を哺乳瓶内に供給する哺乳器もある（例えば、特許文献２参照）。
【０００４】
【特許文献１】
実公平４−２６１０６号公報（第１０図）
【特許文献２】
特開２００１−２０４７９６号公報（第１図）
【０００５】
【発明が解決しようとする課題】
しかしながら、従来と異なり、極めて軟らかい材質で構成され、硬度も低い人工乳首を備える哺乳瓶の場合は、人工乳首が軟らかいため、変形し易く、これによりキャップが人工乳首を固定できず、人工乳首がキャップから抜け出てしまうおそれがあった。
このため、人工乳首とキャップとは、従来の哺乳瓶より、より密着性を高めたり、抜け防止の突起を嵌合させたりする必要があり、上述の特許文献１のような通気孔では、通気が確保できないという問題があった。
また、哺乳瓶内に温度の高いミルクを収容した場合は、哺乳瓶が外気に比べ陽圧となり、上述の特許文献２のような空気溝では、この空気溝を伝わってミルクが外部に漏れるという問題もあった。
【０００６】
そこで、本発明は、以上の点に鑑み、硬度が低く軟らかい人工乳首を有しても、液体が人工乳首から出にくくなったりせず、また、液体が哺乳器から漏れ出すことがない哺乳器を提供することを目的とする。
【０００７】
【課題を解決するための手段】
前記目的は、請求項１の発明によれば、液体を収容する容器本体と、前記容器本体に液体を注入するための容器開口部と、を有する容器と、乳幼児の口腔内に挿入される乳首本体と、乳首本体の下側に配置され、前記容器開口部と略同等の外周を有するフランジ部と、前記容器開口部側に対応して配置され、前記容器に固定するためのキャップ部の端部を収容し係合するための係合凹部と、を有し、硬度５度乃至３０度の弾性部材よりなる人工乳首と、前記人工乳首を挿通可能なキャップ開口と、前記キャップ開口の端部側に設けられ、前記人工乳首の係合凹部と係合するための係合凸部と、を有するキャップ部からなる哺乳器であって、前記容器本体内の雰囲気は、少なくとも、前記容器開口部に対して配置される前記人工乳首によって覆われ、前記人工乳首には、少なくとも、前記容器本体内の容器雰囲気を前記人工乳首と前記キャップ部とで形成されるキャップ雰囲気と通気させ又は通気させないための第１の通気調節部と、少なくとも、前記第１の通気調節部で前記キャップ雰囲気に導入された容器雰囲気を外部に対して通気させ又は通気させないための第２の通気調節部と、前記第２の通気調節部で外部に対して連通させられた前記キャップ雰囲気を哺乳器の外部雰囲気と通気するための通気確保部と、が備えられ、前記第２の通気調節部は、前記キャップ部に対し接触又は離間する構成と成り、前記通気確保部は、前記係合凹部に設けられたリブで構成されることを特徴とする哺乳器により達成される。
【０００８】
請求項１の構成によれば、前記人工乳首は、硬度５度乃至３０度の弾性部材よりなり、変形し易い硬度となっている。
しかし、前記人工乳首は、前記容器に固定するためのキャップ部の端部を収容し係合するための係合凹部を有し、前記キャップ部は、前記キャップ部開口端部に、前記人工乳首の前記係合凹部と係合するための係合凸部を有する。
このため、これら係合凹部と係合凸部との係合によって、前記人工乳首が上述のように変形等しても前記キャップ部によって強固に固定され、容易に前記人工乳首が前記キャップ部から抜け出さない構成となっている。
このように強固に固定していても、前記係合凹部に前記リブが形成されているので、このリブと前記キャップ部の前記キャップ開口や前記係合凸部とが当接し、前記リブが若干変形等するだけで、前記係合凹部の全面が完全に前記係合凸部に密着することはない。
このため、前記通気確保部を前記係合凹部に構成でき、通気を確保することができる。したがって、前記キャップ部と前記人工乳首は、通気を確保しつつ、強固に固定されることになる。
【０００９】
また、前記容器本体内に例えば高温の液体を収容し、攪拌等を行うことにより、前記容器本体内の雰囲気が外気に対し陽圧となり、授乳をおこなう為に逆転させた場合、万一、前記第１の通気調節部から液体が前記キャップ雰囲気内に漏れ出しても、前記第２の通気調節部が前記キャップ部に対し接触していれば、漏れ出した液体は、前記キャップ雰囲気内に留まる。
したがって、漏れ出した液体が前記通気確保部を介して哺乳器の外部の前記外部雰囲気に漏れ出すことがない。
【００１０】
一方、液体を前記人工乳首を経て摂取することで、前記容器本体内の雰囲気が外気に対して負圧となると、前記第１の通気調節部が前記容器雰囲気と前記キャップ雰囲気とを連通させる。
また、前記第２の通気調節部は、前記キャップ部に対し離間し、前記キャップ雰囲気と哺乳器の外部雰囲気とは、前記通気確保部を介して連通する。
このため、外部雰囲気が、前記通気確保部及び前記キャップ雰囲気を介して前記容器雰囲気内に導入され、負圧が解消されることになる。
【００１１】
好ましくは、請求項２の発明によれば、請求項１の構成において、前記第２の通気調節部は、前記容器雰囲気内が負圧に成ると前記キャップ部に対する接触状態から離間状態に移動する構成となっていることを特徴とする哺乳器である。
【００１２】
請求項２の構成によれば、前記第２の通気調節部は、前記容器雰囲気内が負圧でなければ、通常は前記キャップ部に接触している状態と成っている。
このため、前記容器本体内の前記容器雰囲気が前記外部雰囲気と比べ負圧や陽圧でない場合は、前記キャップ雰囲気は前記通気確保部と連通されていない。
したがって、哺乳器の利用者が誤って液体が収容されている哺乳器を倒しても、液体は前記キャップ雰囲気内に留まり、前記通気確保部を経て外部雰囲気に漏れ出すことがない。
また、容器雰囲気内の陽圧が強まった状態においては、第２の通気調節部の接触が強まることで、確実にキャップ雰囲気を密閉することができる。
【００１３】
好ましくは、請求項３の発明によれば、請求項１又は請求項２の構成において、前記人工乳首の前記係合凹部に設けられた前記リブは、前記キャップ部の前記キャップ開口及び／又は前記係合凸部の底面部、側面部及び上面部のそれぞれに対応して形成され、前記上面部及び前記側面部に対応する前記リブは、相互に連接し、略Ｌ字状のＬ字リブを構成し、このＬ字リブが略平行に複数配置され、　前記底面部に対応する前記リブは、底面リブを構成することを特徴とする哺乳器である。
【００１４】
請求項３の構成によれば、略平行に配置されている複数の前記Ｌ字状リブの間や、前記底面リブの近傍で確実に通気を確保することができる。
【００１５】
好ましくは、請求項４の発明によれば、請求項３の構成において、前記第１の通気調節部が切り欠き部により構成され、この切り欠き部と前記底面リブとは、前記第２の通気調節部を介して連続するように配置され、前記底面リブと前記切り欠き部のそれぞれ連続している部分の幅が略同等に形成され、前記略平行に配置される前記複数のＬ字リブは、これらＬ字リブの間隔が前記底面リブの幅より長く形成されていることを特徴とする哺乳器である。
【００１６】
請求項４の構成によれば、前記底面リブと前記切り欠き部のそれぞれ連続している部分の幅が略同等に形成されているので、前記人工乳首を樹脂成型する際に、樹脂が流れやすく確実に成型し易く、コストダウンを図ることができる。
また、前記略平行に配置される前記複数のＬ字リブは、これらＬ字リブの間隔が前記底面リブの前記切り欠き部と対向している部分の幅より長く構成されている。
このため、前記複数のＬ字リブの間における通気の流れを前記底面リブが阻害することがなく、より効率のよい通気を確保することができる。
【００１７】
好ましくは、請求項５の発明によれば、請求項１乃至請求項４のいずれかの構成において、前記キャップ部の前記第２の通気調節部より外側に前記人工乳首のフランジ部と固定するための固定用凸部が形成され、前記フランジ部には前記固定用凸部と係合するための固定用凹部が形成されていることを特徴とする哺乳器である。
【００１８】
請求項５の構成によれば、前記キャップ部の前記第２の通気調節部より外側に前記人工乳首のフランジ部と固定するための固定用凸部が形成され、前記フランジ部には前記固定用凸部と係合するための固定用凹部が形成されている。
このため、上述のように硬度が低く軟らかい前記人工乳首をより強固に前記キャップ部が固定することができ、前記人工乳首の脱落等を未然に防ぐことができる。
【００１９】
好ましくは、請求項６の発明によれば、請求項５の構成において、前記固定用凸部と前記固定用凹部とは、前記容器開口部を形成する天面部に対応して形成されることを特徴とする哺乳器である。
【００２０】
請求項６の構成によれば、前記固定用凸部と前記固定用凹部とは、前記容器開口部を形成する天面部に対応して形成される。
このため、前記容器の容器開口部でなく比較的強固な構成となっている前記天面部上に前記固定用凸部と前記固定用凹部を配置すると、前記天面部が強固なため、前記キャップ部を前記人工乳首を介して容器に固定することに伴い、前記固定用凸部と前記固定用凹部との係合がより強化され、前記人工乳首を前記キャップ部で、さらに強固に固定することができる。
したがって、前記人工乳首の脱落等をより完全に防止することができる。
【００２１】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の実施の形態にかかる哺乳器１００を示す概略図である。
図１に示すように哺乳器１００は、液体である例えばミルクを収容する容器である例えばガラス性の哺乳瓶１３０と、弾性部材である例えばシリコーンゴムから成る人工乳首１１０と、この人工乳首１１０を哺乳瓶１３０に固定するためのキャップ部である例えば樹脂製のキャップ１２０とを有している。
人工乳首１１０のシリコーンゴムの硬度は、５度乃至３０度で、好ましくは１０度乃至２５度で、これは例えばＪＩＳ−Ｋ６２５３（ＩＳＯ７６１９）におけるＡ型デュロメータによる硬度である。
したがって、この硬度は従来の人工乳首で用いられている硬度である例えば、４０度程度に比べ格段に軟らかい構成となっている。
【００２３】
人工乳首１１０は、図１に示すように、ミルクを利用者の口腔内で噴出させるための噴出開口１１１と、この噴出開口１１１が形成されている乳頭部１１２と、この乳頭部１１２から拡径されて形成されている乳首胴部１１３とからなる人工乳首本体を有している。
噴出開口１１１は、例えば丸穴状の微細な開口や、十字状、Ｙ字状又は一文字状のスリット等により形成されている。
【００２４】
図２は、図１の哺乳器１００の概略中央縦断面図の一部を示したものである。
図２に示すように、人工乳首１１０に内側には、肉厚の薄い溝部１１４が例えばリング状に２箇所形成されている。
利用者である乳幼児等が哺乳器１００でミルクを摂取する際は、人工乳首１１０を口腔内にくわえて、舌が蠕動様運動を行う。この蠕動様運動により人工乳首１１０は伸展し、この伸展により乳幼児等はスムーズにミルクを摂取することができる。
したがって、この人工乳首１１０の伸展をより円滑に行うために、硬度の低い素材を使用すると共に、溝部１１４が形成されている。
すなわち、溝部１１４は、人工乳首１１０の他の部分より肉厚が薄く形成されているので、より伸展しやすい構成となっている。
【００２５】
ところで、図２に示すように哺乳瓶１３０には、ミルクを収容するための容器本体である例えば哺乳瓶本体１３１と、哺乳瓶本体１３１にミルクを注入するための容器開口部である例えば哺乳瓶開口１３２とが形成されている。
この哺乳瓶開口１３２には、キャップ１２０と螺合するための螺合溝１３２ａが形成されている。
この哺乳瓶開口１３２の螺合溝１３２ａに対応してキャップ１２０側にも螺合溝１２１が図２に示すように形成され、両者が螺合し、固定される構成となっている。
この両者の螺合による固定の際、図２に示すように、人工乳首１００はキャップ１２０の中央部に設けられたキャップ開口１２２に挿通されて、哺乳瓶開口１３２側に対して配置され、人工乳首１１０のフランジ１１５がキャップ１２０と哺乳瓶１３０とに挟まれ、これによって人工乳首１１０が哺乳瓶１３０に固定されることになる。
また、フランジ１１５は、人工乳首１１０の乳首胴部１１３から更に外側に拡径して形成されている。
【００２６】
図３は、図２の矢印Ａで示す部分の概略拡大図である。
図３に示すように人工乳首１００のフランジ１１５は、具体的には、キャップ１２０と哺乳瓶１３０の天面部である天面１３３とに挟まれて固定されている。
また、キャップ開口１２２の端部である図２の右側端部の下側には、係合凸部１２２ａがキャップ開口１２２に沿って、図の下方に向かって突出するよう形成されている。
一方、人工乳首１１０の内周部（図の右側）には、このキャップ開口１２２及び係合凸部１２２ａを収容し係合させるための係合凹部１１６が形成されている。また、係合凹部１１６の図３の下部には、係合凸部１２２ａに対応して凹部底面１１６ｃがフランジ１１５の内側に沿って溝状に形成されている。
すなわち、上述のように人工乳首１１０の硬度が低く、極めて軟らかく形成されているため、キャップ１２０と哺乳瓶１３０の天面１３３との間で保持されず、変形して抜け出してしまうおそれがある。
このため、キャップ１２０の係合凸部１２２ａを含むギャップ開口１２２が人工乳首１１０の凹部底面１１６ｃを含む係合凹部１１６に係合され、強固に固定され、乳幼児の蠕動様運動に伴って、キャップ１２０がフランジ１１５から抜け出してしまうことを防止する構成となっている。
特に、係合凸部１２２ａが凹部底面１１６ｃに入り込むことにより、人工乳首１１０が抜け出す方向に対して係止すうよう機能することができる。
【００２７】
哺乳瓶本体１３１内の雰囲気は、図３に示すように、哺乳瓶開口１３２に対して配置される人工乳首１１０によって覆われており、人工乳首１１０のフランジ１１５の上面をキャップ１２０によって覆われている。
人工乳首１１０のフランジ１１５には図３に示すように第１の通気調節部である例えば通気弁１１７が形成されている。
この通気弁１１７は、哺乳瓶本体１３１内の容器雰囲気Ｂをフランジ１１５とキャップ１２０とで形成されるキャップ雰囲気Ｃと通気させ又は通気させないためのものである。
【００２８】
図４は、フランジ１１５に形成された通気弁１１７等を示す概略斜視図である。図５は、通気弁１１７の概略底面図である。
図４に示すように、通気弁１１７は平面より見ると例えば略円形を形成し、図５に示すように、切り欠き部である例えばＹ字状にスリットが形成されている。
また、通気弁１１７は、図３に示すように下方に湾曲した形状となっており、その底面にスリットが設けられている。
このため、授乳に伴い容器雰囲気Ｂが負圧となった場合、図３の通気弁１１７が哺乳瓶本体１３１側に引っ張られて、下方に向かって変形すると、図５のＹ字状のスリットが通気可能状態となるように構成されている。
一方、下方に変形しない状態では、図５のＹ字状のスリットは閉じており通気しない状態となる。
なお、この通気弁１１７は、フランジ１１５と一体に形成されており、同じ材質、すなわち硬度の低いシリコーンゴムで形成されているため容易に変形等する構成となっている。
【００２９】
ところで、フランジ１１５には、通気弁１１７でキャップ雰囲気Ｃに導入された容器雰囲気Ｂを哺乳器１００の外部に対して通気させ又は通気させないための第２の通気調節部である例えば接触面１１８を有している。
この接触面１１８は、図４に示すように通気弁１１７の近傍となる上方でフランジ１１５の上面によって形成されており、図３に示すようにキャップ１２０の内面と接触し、または、図において下方に移動し、キャップ１２０の内面から離間する構成となっている。
すなわち、接触面１１８がキャップ１２０の内面と接触しているときは、図３のキャップ雰囲気Ｃは閉状態となるが、接触面１１８がキャップ１２０の内面から下方向に離間すると、開状態となり、後述する通気通路を経て外部と連通することになる。
特に、容器雰囲気Ｂが陽圧となった場合には、接触面１１８が上方に変形するよう圧力を受けるため、確実に陽圧時における密閉を行うことができる。
【００３０】
また、キャップ雰囲気Ｃを哺乳器１００の外部雰囲気と連通させるための通気確保部である例えば通気通路１１９が、図４に示すように形成されている。
この通気通路１１９は、具体的には図３のキャップ１２０のキャップ開口１２２の底面側に設けられた係合凸部１２２ａ、キャップ開口１２２の内周となる開口側面１２２ｂ及び上面部である例えば開口上面１２２ｃに沿って通気が確保されるように構成されている。
すなわち、キャップ１２０と人工乳首１１０との間に通気ができるような隙間が形成されている。
この隙間は、具体的には、係合凹部１１６に複数のリブを設けることで形成される。
【００３１】
この複数のリブは、キャップ１２０の係合凸部１２２ａ、開口側面１２２ｂ、開口上面１２２ｃのそれぞれに対応して、人工乳首１１０の係合凹部１１６に形成される。
このうち、開口側面１２２ｂ及び開口上面１２２ｃに対応するリブは、相互に連接し、図３に示すように略Ｌ字状のＬ字リブ１１６ｂを構成している。
このＬ字リブ１１６ｂは、図４に示すように複数、例えば２個形成され、且つ平行に配置されている。
また、キャップ１２０の係合凸部１２２ａに対応するリブは、人工乳首１１０の係合凹部１１６の凹部底面１１６ｃに、図３及び図４に示すように底面リブ１１６ａとして、凹部底面１１６ｃの深さを浅くすることで形成されている。
【００３２】
図６は、図３のＸ−Ｘ’線概略端面説明図である。
図６に示すように、図３及び図４に示す２個のＬ字リブ１１６ｂ、１１６ｂは、キャップ１２０のキャップ開口１２２の開口上面１２２ｃと当接する。
このため、平行して配置される２個のＬ字リブ１１６ｂ、１１６ｂの間及び２個のＬ字リブ１１６ｂ、１１６ｂの近傍には、係合凸部１１６が僅かにたわむように変形することで開口上面１２２ｃと接触しない隙間が生じ、確実に通気を確保でき、通気通路１１９が形成される。
なお、図３に示されるように、開口側面１２２ｂもＬ字リブ１１６ｂ、１１６ｂによって、人工乳首１１０を変形させることで、開口上面１２２ｃと同様に、隙間を形成させ、通気通路１１９が形成される。
そして、同様に、図３及び図４に示す底面リブ１１６ａは、係合凸部１２２ａと当接し、底面リブ１１６ａの近傍となる両側縁に沿って隙間が確保でき、通気通路１１９が形成される。
【００３３】
また、図３及び図４に示すように、通気弁１１７と底面リブ１１６ａとは、接触面１１８を介して連続するように配置されている。そして、図４に示すように、底面リブ１１６ａと通気弁１１７のそれぞれ連続している部分の幅Ｗ１（図４に示す幅Ｗ１）は略同等に形成されている。
このため、シリコーンゴムから成る人工乳首１１０を樹脂成形する際に、特に薄肉とされている通気弁１１７近傍に対して、厚さの薄くされた凹部底部１１６ｃ近傍で、樹脂の流れを妨げることなく、凹部底面１１６よりも厚くされた底面リブ１１６ａの部分から樹脂が流れ易くなるので成型し易くなり、成型のコストダウンを図ることができる。
【００３４】
また、図４に示すように、前記略平行に配置される２個のＬ字リブ１１６ｂ、１１６ｂの間隔Ｗ２（図４及び図６の間隔Ｗ２）が底面リブ１１６ａの通気弁１１７と対向している部分の幅Ｗ１（図４及び図６の幅Ｗ１）より長く形成されている。
このため、２個のＬ字リブ１１６ｂ、１１６ｂの間隔Ｗ２における通気の流れを底面リブ１１６ａによって阻害せず、より効率のよい通気通路１１９を確保することがでできるとともに、万一、第２の通気調節部である接触面１１８から液体が漏れ出た場合においても、通気通路１１９に沿って液体が漏れ出さないよう遮ることができる。
【００３５】
以上のように構成される本実施の形態の哺乳器１００を図１に示すように組み立てて使用する。
このとき、人工乳首１１０は、上述のように硬度５度乃至３０度という軟らかく変形し易い構成となっている。
しかし、人工乳首１１０は、キャップ１２０の端部である係合凸部１２２ａを含むキャップ開口１２２を収容するための係合凹部１１６を有している。さらに、キャップ１２０のキャップ開口１２２には図３に示すような係合凸部１２２ａが突出して形成され、この係合凸部１２２ａを収容する凹部底面１１６ｃが人工乳首１１０に形成されている。
このため、キャップ１２０の係合凸部１２２ａを含むキャップ開口１２２が、人工乳首１１０の凹部底面１１６ｃを含む係合凹部１１６に係合され、強固に固定される構成となり、キャップ１２０からフランジ１１５が抜け出ることを防止することができる構成となっている。
【００３６】
そして、このようにキャップ１２０と人工乳首１１０のフランジ１１５等を強固に固定しても、図３及び図４に示すように係合凹部１１６に、２個のＬ字リブ１１６ｂ、１１６ｂや底面リブ１１６ａが形成されているので、図６に示すように、これらＬ字リブ１１６ｂ等とキャップ１２０の係合凸部１２２とが当接し、Ｌ字リブ１１６ｂの近傍が僅かに撓むように変形することとなる。
このため、係合凹部１１６の全面が完全に係合凸部１２２に密着することがない。したがって、通気通路１１９を係合凹部１１６に構成でき、通気を確保することができ、キャップ１２０と人工乳首１１０とは、通気を確保しつつ、強固に固定されることになる。
【００３７】
このような哺乳器１００内に例えば高温のお湯と粉ミルクを入れて攪拌すると、図１の哺乳瓶本体１３１内の容器雰囲気Ｂが、哺乳器１００の外部の外部雰囲気に対し陽圧となる。
すると、哺乳瓶本体１３１内の圧力が高くなり、図３の通気弁１１７は、図３の下方向へ変形させられないので、図５のＹ字状のスリットは閉状態となっている。
しかし、圧力が高く、更に授乳のため人工乳首１１０が下向きとなるように変転させるため、ミルクは、このＹ字状のスリットを通過し、図３のキャップ雰囲気Ｃ内に漏れ出すことがある。
このとき、キャップ雰囲気Ｃと通気通路１１９との連通を調節する接触面１１８は、図３に示すようにキャップ１２０の内面と接触しており、更に容器雰囲気Ｂが陽圧となり、接触面１１８はキャップ１２０の内面側に圧力をうけているので、キャップ雰囲気Ｃ内に漏れ出たミルクが通気通路１１９を経て哺乳器１００の外部に漏れ出すことを未然に防止することができる。
【００３８】
この接触面１１８は、図３の容器雰囲気Ｂ内が負圧となるとキャップ１２０に対する接触状態から離間状態に移動する構成となっている。
すなわち、接触面１１８は、哺乳瓶本体１３１内が負圧となる場合を除き、常にキャップ１２０の内面に接触した状態に構成されているので、上述のように哺乳瓶本体１３１が陽圧の場合であっても、図３の下方向に移動することがなく、キャップ雰囲気Ｃが通気通路１１９と連通されず、漏れ出たミルクが外部に漏れ出るのを確実に防ぐことができる。
したがって、乳幼児等や保護者が熱いミルクを直接触れることがなく安全な哺乳器１００となる。
また、特に、哺乳器１００の利用者が誤って、高温のミルクが収容されている哺乳器１００を倒しても、ミルクはキャップ雰囲気Ｃ内に留まり、高温のミルクが通気通路１１９を経て外部雰囲気（哺乳器１００の外部）に漏れ出すことを未然に防ぐことができる。
【００３９】
一方、保護者等の利用者が哺乳瓶本体１３１内に適温のミルクを収容し、乳幼児等が人工乳首１１０から摂取すると、哺乳瓶本体１３１内のミルクが減少し、哺乳瓶本体１３１内が負圧となる。
これでは、乳幼児等が人工乳首１１０に蠕動様運動を行っても、ミルクが適正に噴出せず、摂取し難い哺乳器１００となる。
そこで、本実施の形態の哺乳器１１０は、哺乳瓶本体１３１内が負圧になると、その圧力変化で図３の接触面１１８が下方に移動する構成となっている。
図７は、接触面１１８が下方に移動し、外気が流入する状態を示す概略断面図である。
これにより、図７に示すように、キャップ雰囲気Ｃは、通気通路１１９と連通される。
また、図３の通気弁１１７も圧力変化で下方に向かって変形し、図５のＹ字状のスリットが開状態となる。
したがって、哺乳器１００の外気である外部雰囲気は、図７の通気通路１１９、接触面１１８を経てキャップ雰囲気Ｃ内に導入され、さらに、通気弁１１７を介して哺乳瓶本体１３１内に導入される。
特に、人工乳首１１０は硬度の低い部材より形成されているため、フランジ１１５の上面となる接触面１１８や、通気弁１１７は、容器雰囲気Ｂの圧力低下に確実に対応して変形するため、外部雰囲気を導入することができる。
このため、哺乳瓶本体１３１内に負圧は速やかに解消されることになる。
【００４０】
以上のように、本実施の形態の哺乳器１００は、硬度が低く軟らかい人工乳首１１０を有しても、哺乳瓶本体１３１内が負圧になって、ミルクが出にくくなることがない。また、哺乳瓶本体１３１内が陽圧となっても、ミルクが哺乳器１００が漏れ出すことがなく安全な哺乳器１００となっている。
【００４１】
ところで、本実施の形態の哺乳器１００には、図３に示すように、そのキャップ１２０に人工乳首１１０のフランジ１１５と固定するための固定用凸部１２２ｄが形成されている。また、フランジ１１５にはキャップ１２０の固定用凸部１２２ｄと係合するための固定用凹部１１５ａが、それぞれ、フランジ１１５の外周側に沿って、通気弁１１７や接触面１１８よりも外側に位置するよう形成されている。
したがって、上述のように硬度が低く軟らかく形成されている人工乳首１１０を上述のキャップ開口１２２や係合凸部１２２ａ、係合凹部１１６と共に、キャップ１２０に固定する働きをする。
すなわち、図３のようにフランジ１１５の内周部と外周部とで同時にフランジ１１５をキャップ１２０に固定するため、より強固に人工乳首１１０をキャップ１２０に装着できる。
したがって、人工乳首１１０の変形等によるキャップ１２０からの脱落等をより確実に未然に防ぐことができる。
【００４２】
また、このキャップ１２０の固定用凸部１２２ｄとフランジ１１５の固定用凹部１１５ａは、図３に示すように、哺乳瓶開口１３２を形成する天面１３３に対応し、その上面に配置されている。
すなわち、哺乳瓶開口１３２ではなく比較的強固な構成となっている天面１３３上に配置されると、天面１３３が強固なため、キャップ１２０の螺合溝１２１と哺乳瓶開口の螺合溝１３２ａによって閉め込むことに伴って、固定用凸部１２ｄと固定用凹部１１５ａとの係合がより強化され、人工乳首１１０をさらに強固にキャップ１２０に固定することができる。
したがって、人工乳首１１０の変形等に伴ってキャップ１２０から脱落等することがより完全に防止することができる。
【００４３】
また、前記実施の形態の各構成は、その一部を省略したり、上述していない他の任意の組み合わせに変更することができる。
【００４４】
【発明の効果】
以上のように、本発明によれば、硬度が低く軟らかい人工乳首を有しても、液体が人工乳首から出にくくなったりせず、また、液体が哺乳器から漏れ出すことがない哺乳器を提供することができる。
【図面の簡単な説明】
【図１】本発明の実施の形態にかかる哺乳器を示す概略図である。
【図２】図１の哺乳器の概略中央縦断面図の一部を示したものである。
【図３】図２の矢印Ａで示す部分の概略拡大図である。
【図４】フランジに形成された通気弁等を示す概略斜視図である。
【図５】通気弁の概略底面図である。
【図６】図３のＸ−Ｘ’線概略端面説明図である。
【図７】外気が流入する状態を示す概略断面図である。
【符号の説明】
１００・・・哺乳器、１１０・・・人工乳首、１１１・・・噴出開口、１１２・・・乳頭部、１１３・・・乳首胴部、１１４・・・溝部、１１５・・・フランジ、１１５ａ・・・固定用凹部、１１６・・・係合凹部、１１６ａ・・・底面リブ、１１６ｂ・・・Ｌ字リブ、１１６ｃ・・・凹部底面、１１７・・・通気弁、１１８・・・接触面、１１９・・・通気通路、１２０・・・キャップ、１２１・・・螺合溝、１２２・・・キャップ開口、１２２ａ・・・係合凸部、１２２ｂ・・・開口側面、１２２ｃ・・・開口上面、１２２ｄ・・・固定用凸部、１３０・・・哺乳瓶、１３１・・・哺乳瓶本体、１３２・・・哺乳瓶開口、１３２ａ・・・螺合溝、１３３・・・天面、Ｂ・・・容器雰囲気、Ｃ・・・キャップ雰囲気。
【図１】
2004129940.tif 000003
【図２】
2004129940.tif 000004
【図３】
2004129940.tif 000005
【図４】
2004129940.tif 000006
【図５】
2004129940.tif 000007
【図６】
2004129940.tif 000008
【図７】
2004129940.tif 000009